(57)【要約】【課題】シンプルな構造で、扉を閉じてロックする動作を確実かつスムーズに行うことができる扉用ロック装置を提供する。【解決手段】扉１８に取り付ける操作部２４と、窓１６の周縁部２０に取り付ける固定部２６を備える。操作部２４は、扉１８の開閉端１８ａに固定される本体部材１４と、軸部材３４を介して本体部材２８に取り付けた操作ハンドル３０と、操作ハンドル３０の回動に従って回動する係合爪部４２を有した係合部材３２を備える。本体部材２８はスリット部３６を有する。固定部２６は円柱状係合受部４８を備える。扉１８を閉じると、スリット部３６の内側が円柱状係合受部４８の側面にガイドされて摺動し、係合部材３２が円柱状係合受部４８に近づく。ロック操作により、円柱状係合受部４８が係合爪部４２内側に入って係合し、係合部材３２の回転軸が円柱状係合受部４８に引き寄せられる。【選択図】図４
2013104246.tif 000002
【特許請求の範囲】
【請求項１】
開口部の近傍に軸着され使用者の操作により開閉する扉を、閉じた状態でロックする扉ロック装置において、
前記扉に取り付けられ使用者に操作される操作部と、前記開口部の周縁部に取り付けられ、前記扉が閉じた状態で前記操作部の部分と係合可能な固定部とを備え、
前記操作部は、前記扉の開閉端に固定される本体部材と、前記本体部材に軸部材を介して取り付けられ、前記扉が開閉される際に前記開閉端が回転移動する軌跡の接線と平行な面内を回動可能な操作ハンドルと、前記操作ハンドルの回動に従って同じ方向に回動し、その回動方向に突出した係合爪部が形成されている係合部材と、前記本体部材と一体に形成され、前記扉を閉じる際に前記開閉端が移動する方向と反対向きに切り込まれたスリット部とで構成され、
前記固定部は、前記扉の前記開閉端に対応する前記開口部の前記周縁部に設けられ、前記扉を開いた状態で、前記スリット部の切り込み方向と直角の方向に中心軸が配置された柱状係合受部を有し、
使用者が開いた前記扉を閉じると、前記スリット部の内側が前記柱状係合受部の側面にガイドされて摺動し、前記係合部材が前記柱状係合受部に近づき、
使用者が前記操作ハンドルを回す操作をすると、前記柱状係合受部が前記係合爪部の内側に入り込むことによって係合し、当該入り込みが深くなるに従って、前記係合部材の回転軸が前記柱状係合受部に引き寄せられることを特徴とする扉ロック装置。
【請求項２】
開口部の近傍に軸着されて使用者の操作により開閉する扉を閉じた状態でロックする扉ロック装置において、
前記開口部の周縁部に取り付けられ使用者に操作される操作部と、前記扉に取り付けられ、前記扉が閉じた状態で前記操作部の部分と係合可能な固定部とを備え、
前記固定部は、前記扉の前記開閉端に突設され、前記扉が開閉される際に前記開閉端が回転移動する軌跡の接線と直角の方向に中心軸が配置された柱状係合受部を有し、
前記操作部は、前記扉の前記開閉端に対応する前記開口部の前記周縁部に固定される本体部材と、前記本体部材に軸部材を介して取り付けられ、前記扉を開じた状態で、前記柱状係合受部の中心軸と直角な面内を回動可能な操作ハンドルと、前記操作ハンドルの回動に従って同じ方向に回動し、その回動方向に突出した係合爪部が形成されている係合部材と、前記本体部材と一体に形成され、前記扉を閉じる際に前記開閉端が移動する方向に切り込まれたスリット部とで構成され、
使用者が開いた前記扉を閉じると、前記柱状係合受部の側面が前記スリット部の内側にガイドされて摺動し、前記柱状係合受部が前記係合部材に近づき、
使用者が前記操作ハンドルを回す操作をすると、前記柱状係合受部が前記係合爪部の内側に入り込むことによって係合し、当該入り込みが深くなるに従って、前記柱状係合受部が前記係合部材の回転軸に引き寄せられることを特徴とする扉ロック装置。
【請求項３】
使用者が前記扉を閉じると、前記柱状係合受部の側面が前記スリット部の内側にガイドされて摺動し、
使用者が前記操作ハンドルを回す操作をすると、前記柱状係合受部の側面が前記スリット部の内側にガイドされた状態で、前記柱状係合受部が前記係合爪部の内側に入り込み始める請求項１又は２記載の扉ロック装置。
【請求項４】
前記スリット部は、前記本体部材から延設された板状部分の先端が平行に切り込まれて設けられた請求項１乃至３のいずれか記載の扉ロック装置。
【請求項５】
前記操作部及び前記固定部が互いに深く係合した状態で、前記扉の内側面と前記開口部の前記周縁部とが気密性部材を介して当接し、前記開口部が気密に閉鎖される請求項１乃至３のいずれか記載の扉ロック装置。
【請求項６】
前記操作部の前記本体部材に、前記操作ハンドルが回動する範囲を制限するストッパ部が設けられた請求項１乃至３のいずれか記載の扉ロック装置。
【発明の詳細な説明】
【技術分野】
【０００１】
この発明は、窓等の開口部の周縁部に軸着され使用者の操作により開閉する扉を閉じた状態でロックする扉ロック装置に関する。
【背景技術】
【０００２】
従来、この種の扉ロック装置として、特許文献１に開示されているように、円筒状のロック部材を有し固体枠体に固着される受座と、扉の開閉端に固着される固定ベースと、扉を閉じる方向と直角な面内に回動自在に固定ベースに取り付けられた操作ハンドルと、操作ハンドルの回動によりロック部材に係脱可能なロックレバーとを備え、扉を閉じて操作ハンドルを回動操作することによって、ロックレバーの内側にロック部材に係合し、扉を固定枠に引き寄せる方向に案内する扉用ハンドルがあった。この扉用ハンドルは、扉を閉じてロック操作を行っている途中で、固定ベースの端面から突設したガイドピンが受座の端面のガイド穴の内側に差し込まれ、固定ベースが受座の方向に案内される構造になっている。
【先行技術文献】
【特許文献】
【０００３】
【特許文献１】特開２００９−１８５５３４号公報
【発明の概要】
【発明が解決しようとする課題】
【０００４】
しかし、特許文献１の扉用ハンドルの場合、固定ベースを受座の方向に案内するための機構が、固定ベース側のガイドピン及び受座側のガイド穴という構成であるため、扉とともに回動してガイド穴に嵌合するガイドピンは、ガイド穴に対して円弧状の軌跡を描いて挿入されるため、扉が閉じられる直前でないと嵌合できないものであり、ガイド機能が発揮されるのは扉が閉まる直前に限定されていた。一方、ガイドピンがガイド穴に早期に係合するように構成するには、係合ピンを長くして、ガイド穴を長穴状にしなければならず、係合部の構成が大型化してしまうものであった。
【０００５】
この発明は、上記背景技術に鑑みて成されたものであり、シンプルな構造で、扉を閉じてロックする動作を確実かつスムーズに行うことができる扉用ロック装置を提供することを目的とする。
【課題を解決するための手段】
【０００６】
この発明は、窓等の開口部の近傍に軸着され使用者の操作により開閉する扉を閉じた状態でロックする扉ロック装置であって、前記扉に取り付けられ使用者に操作される操作部と、前記開口部の周縁部に取り付けられ、前記扉が閉じた状態で前記操作部の部分と係合可能な固定部とを備え、前記操作部は、前記扉の開閉端に固定される本体部材と、前記本体部材に軸部材を介して取り付けられ、前記扉が開閉される際に前記開閉端が回転移動する軌跡の接線と平行な面内を回動可能な操作ハンドルと、前記操作ハンドルの回動に従って同じ方向に回動し、その回動方向に突出した係合爪部が形成されている係合部材と、前記本体部材と一体に形成され、前記扉を閉じる際に前記開閉端が移動する方向と反対向きに切り込まれたスリット部とで構成され、前記固定部は、前記扉の前記開閉端に対応する前記開口部の前記周縁部に設けられ、前記扉を開いた状態で、前記スリット部の切り込み方向と直角の方向に中心軸が配置された円柱状等の柱状係合受部を有し、使用者が開いた前記扉を閉じると、前記スリット部の内側が前記柱状係合受部の側面にガイドされて摺動し、前記係合部材が前記柱状係合受部に近づき、使用者が前記操作ハンドルを回す操作をすると、前記柱状係合受部が前記係合爪部の内側に入り込むことによって係合し、当該入り込みが深くなるに従って、前記係合部材の回転軸が前記柱状係合受部に引き寄せられる扉ロック装置である。
【０００７】
またこの発明は、開口部の近傍に軸着されて使用者の操作により開閉する扉を閉じた状態でロックする扉ロック装置であって、前記開口部の周縁部に取り付けられ使用者に操作される操作部と、前記扉に取り付けられ、前記扉が閉じた状態で前記操作部の部分と係合可能な固定部とを備え、前記固定部は、前記扉の前記開閉端に突設され、前記扉が開閉される際に前記開閉端が回転移動する軌跡の接線と直角の方向に中心軸が配置された柱状係合受部を有し、前記操作部は、前記扉の前記開閉端に対応する前記開口部の前記周縁部に固定される本体部材と、前記本体部材に軸部材を介して取り付けられ、前記扉を開じた状態で、前記柱状係合受部の中心軸と直角な面内を回動可能な操作ハンドルと、前記操作ハンドルの回動に従って同じ方向に回動し、その回動方向に突出した係合爪部が形成されている係合部材と、前記本体部材と一体に形成され、前記扉を閉じる際に前記開閉端が移動する方向に切り込まれたスリット部とで構成され、使用者が開いた前記扉を閉じると、前記柱状係合受部の側面が前記スリット部の内側にガイドされて摺動し、前記柱状係合受部が前記係合部材に近づき、使用者が前記操作ハンドルを回す操作をすると、前記柱状係合受部が前記係合爪部の内側に入り込むことによって係合し、当該入り込みが深くなるに従って、前記柱状係合受部が前記係合部材の回転軸に引き寄せられる扉ロック装置である。
【０００８】
上記扉ロック装置は、使用者が前記扉を閉じると、前記柱状係合受部の側面が前記スリット部の内側にガイドされて摺動し、使用者が前記操作ハンドルを回す操作をすると、前記柱状係合受部の側面が前記スリット部の内側にガイドされた状態で、前記柱状係合受部が前記係合爪部の内側に入り込み始める。
【０００９】
前記スリット部は、前記本体部材から延設された板状部分の先端が平行に切り込まれて設けられている。また、前記操作部及び前記固定部が互いに深く係合した状態で、前記扉の内側面と前記開口部の前記周縁部とが気密性部材を介して当接し、前記開口部が気密に閉鎖される。また、前記操作部の前記本体部材に、前記操作ハンドルが回動する範囲を制限するストッパ部が設けられている。
【発明の効果】
【００１０】
この発明の扉ロック装置は、使用者が扉を閉じてロックするとき、操作部と固定部とが互いにガイドされて近づき、常に適正な位置で係合させることができ、操作ハンドルも無理なくスムーズに回動するので使用者にとっても操作感が良好である。しかも、そのガイドの構造は、操作部の所定部分にスリット部を付設したシンプルな構造なので、外形をコンパクトに納めることができる。
【００１１】
さらに、この扉ロック装置は、開口部の周縁部に扉の内側面が強く引き寄せられて当接し、開口部をしっかりと閉鎖される構造であり、その当接部分の間に気密性部材を配置することによって、気密性を向上させることができる。
【００１２】
また、操作部の本体部材に、操作ハンドルが回動可能な範囲を規制するストッパ部を設けることによって、使用者が操作ハンドルを無理に回して操作部を破損させたりする事故を防止することができる。
【図面の簡単な説明】
【００１３】
【図１】この発明の一実施形態の扉ロック装置が取り付けられたストーブを示す正面図（ａ）、右側面図（ｂ）である。
【図２】図１のストーブを示す平面図（ａ）、扉が開けられたときの平面図（ｂ）である。
【図３】この実施形態の扉ロック装置の操作部を構成する本体部材（ａ）、操作ハンドル（ｂ）、係合部材（ｃ）、各部材を軸部材を介して組み立てた状態（ｄ）を示す正面図と右側面図である。
【図４】この実施形態の扉ロック装置の操作部と固定部とが係合する前の様子を示す部分拡大右側面図（ａ）、図４（ａ）のＡ−Ａ断面図（ｂ）である。
【図５】この実施形態の扉ロック装置の操作部と固定部とが係合し始めた様子を示す部分拡大右側面図（ａ）、図５（ａ）のＡ−Ａ断面図（ｂ）である。
【図６】この実施形態の扉ロック装置の操作部と固定部とが深く係合してロックした様子を示す部分拡大右側面図（ａ）、図６（ａ）のＡ−Ａ断面図（ｂ）である。
【図７】この実施形態の扉ロック装置が取り付けられた他のストーブの例を示す平面図である。
【図８】図７のストーブの操作部と固定部とが係合する前の様子を示す部分断面図である。
【発明を実施するための形態】
【００１４】
以下、この発明の扉ロック装置の一実施形態について、図面に基づいて説明する。この実施形態の扉ロック装置１０は、図１、図２に示すように、室内暖房用のストーブ１２に使用されている。ストーブ１２は略矩形の外形を有し、本体１４の正面１４ａに、内部機構のメンテナンス用等に、略長方形の開口部である窓１６が設けられ、窓１６よりも一回り大きい略長方形の扉１８で閉鎖、開放する構造になっている。扉１８は、枠体の内側部分に透明なガラス等が嵌めこまれ、内部の炎を外から見て楽しむことができる。
【００１５】
ストーブ１２は、図２に示すように、正面１４ａ側の左右端部を丸くしたデザインになっており、窓１６と扉１８もそれに合わせて略長方形の両端部が湾曲し、その両端部が、正面１４ａと略直角な一対の側面１４ｂ，１４ｃに達している。扉１８は、側面１４ｃ側の一端が窓１６の周縁部２０の一辺にヒンジ２２を介して軸着され回動自在になっており、扉１８を閉じた状態で、扉１８の内側面が窓１６の周縁部２０に当接し、窓１６を気密に閉鎖することができる。
【００１６】
扉ロック装置１０は、扉１８に取り付けられる操作部２４と、窓１６の周縁部２０に取り付けられ、扉１８が閉じた状態で操作部２４の部分と係合可能な固定部２６を備えている。
【００１７】
使用者が操作する操作部２４は、本体部材２８、操作ハンドル３０、係合部材３２及び軸部材３４で構成されている。本体部材２８は、途中でＬ字状に屈曲した金属板で成り、図３（ａ）に示すように、扉１８の開閉端１８ａの端面に取り付けられる取付部２８ａと、取付部２８ａと略直角に交わる立設部２８ｂとを備え、立設部２８ｂにスリット部３６が形成されている。スリット部３６は、立設部２８ｂの先端から取付部２８ａの方向に一定の幅で真っ直ぐに形成された切り込みである。立設部２８ｂには、スリット部３６と取付部２８ａとの間の位置に、軸部材３４を取り付ける軸取付部３８が設けられている。
【００１８】
操作ハンドル３０は、使用者が手で握って操作する円柱状の取っ手であり、図３（ｂ）に示すように、一方の端部寄りの位置に軸部材３４を取り付ける軸取付部４０が設けられている。係合部材３２は、図３（ｃ）に示すように、扇状本体３２ａを有し、その円弧状の周縁部の一端から外周方向に係合爪部４２が延設された金属板である。扇状本体３２ａの中央からやや円弧状の周縁部寄りの位置に、軸部材３４を取り付ける軸取付部４４が設けられている。係合爪部４２内側の摺接面４２ａ及びロック用突起４２ｂについては後で述べる。
【００１９】
本体部材２８、操作ハンドル３０、係合部材３２は、軸部材３４を介して図３（ｄ）のように組み立てられる。すなわち、操作ハンドル３０の軸取付部４０に軸部材３４の一端が固定され、係合部材３２の軸取付部４４に軸部材３４が貫通した状態で固定される。そして、軸部材３４の他端が、本体部材２８の軸取付部３８に回転自在に軸着される。
【００２０】
上記のように組み立てられた操作部２４は、図２（ｂ）に示すように、本体部材２８の取付部２８ａを扉１８の開閉端１８ａの端面に当接して固定される。この状態で、スリット部３６の切り込み方向は、扉１８を開く際に開閉端１８ａが移動する方向となる。操作ハンドル３０は、扉１８を開閉する際に開閉端１８ａが回転移動する軌跡の接線と平行な面内を回動可能に配置され、取付部２８ａ及び扉１８と接触しないように側方に突出する。係合部材３２は、操作ハンドル３０の回動に従って同じ方向に回動し、その回動方向に係合爪部４２が突出するよう配置される。係合部材３２が回動する操作がされたとき、一方に回すと所定部分が取付部２８ａに接触して係止され、反対方向に回すと係合爪部４２の前端が取付部２８ａに接触して係止され、操作ハンドル３０の回動範囲が安全な範囲に規制される。この接触する部分がストッパ部４６となる。
【００２１】
固定部２６は、図４に示すように、本体１４の側面１４ｂに設けられた円柱状係合受部４８である。側面１４ｂは、窓１６側の端部の外側がほぼ直角に切り欠かれて係合空間５０が形成され、当該端部の内側の板部５２の外側面が窓１６の周縁部２０の一部になっている。そして、板部５２の外側面に、円柱状係合受部４８がほぼ直角に立設され、その先端部分が外装板５４で目隠しされている。円柱状係合部４８の直径は、本体部材２８のスリット部３６の切り込みの幅よりも僅かに小さく、長さは、扉１８を閉じてロックする際に、操作部２４の係合部材３２の係合爪部４２と係合できる十分な長さを有している。
【００２２】
次に、扉ロック装置１０の動作について説明する。使用者が開けられた扉１８を徐々に閉じていくと、図４に示すように、扉１８の開閉端１８ａに取り付けられた操作部２４が、本体１４の板部５２に立設された円柱状係合受部４８に向かって近づいていく。操作部２４が、ある程度近づくと、使用者が操作ハンドル３０を回し、図４（ａ）に示すように、係合部材３２の係合爪部４２がスリット部３６の切り込みと交差しない状態にする。
【００２３】
さらに使用者が扉１８を閉じて行くと、スリット部３６の内側に円柱状係合受部４８が入り、スリット部３６が円柱状係合受部４８の側面にガイドされながら移動し、係合部材３２が円柱状係合受部４８に近づいて行く。そして、図５に示すように、係合爪部４２の先端部が円柱状係合受部４８の位置に達すると、使用者が操作ハンドル３０を反時計回りの方向に回し、円柱状係合受部４８が係合爪部４２の先端側から内側に入り込んで係合し始める。
【００２４】
円柱状係合受部４８が係合爪部４２の内側の摺接面４２ａに沿って奥の方に入り込むと、その入り込みが深くなるに従って、係合部材３２の回転軸である軸部材３４が円柱状係同受部４８の方に引き寄せられる。このとき、係合爪部４２と円柱状係合受部４８との係合による反力が発生し、扉１８に対して開閉端１８ａを下方に押し下げる力が加わる。しかし、円柱状係合受部４８がスリット部３６の内側にしっかりガイドされるので、扉１８が傾いたり捻じれたりすることがない。従って、使用者は無理なく操作ハンドル３０を回すことができ、軸部材３４も円柱状係合受部４８の方向にスムーズに移動する。また、係合部材３２と円柱状係合受部４８とが係合する動作を行う係合空間５０が外装板５４で塞がれているので、使用者の指が係合空間５０内に入って指を怪我する等の危険はない。
【００２５】
さらに使用者が操作ハンドル３０を回すと、図６に示すように、円柱状係合受部４８が係合爪部４２の内側のロック用突起４２ｂを乗り越えて奥に収まり、上記の反力が一気に弱くなって安定なロック状態になる。このロック状態では、扉１８の内側面が窓１６の周縁部２０に強く当接し、窓１６が気密に閉鎖される。
【００２６】
扉１８の内側面には、セラミックスやその他耐熱性の樹脂による気密性部材５６が設けられ、扉１８の内側面と窓１６の周縁部２０とが気密性部材５６を介して強く当接する構造になっているので、極めて気密性が高くなっており、ストーブ１２内部で発生した煙が室内に流れ出すのを確実に防止している。
【００２７】
閉じた扉１８を開くときは、上記の図４〜図６の動作を逆に行い、操作部２４と固定部２６の円柱状係合受部４８との係合を解除すればよい。
【００２８】
以上説明したように、この実施形態の扉ロック装置１０は、扉１８を閉じてロックするとき、操作部２４と又は固定部２６とが互いにガイドされて近づき、常に適正な位置で係合させることができ、また、操作ハンドル３０も無理なくスムーズに回動するので、使用者にとっても操作感が良好である。しかも、そのガイドの構造は、操作部２４の所定部分にスリット部３６を付設したシンプルな構造なので、外形をコンパクトに納めることができる。
【００２９】
また、ここでは本体部材２８のスリット部３６が長めに設けられ、扉１８が閉じられ操作部２４と固定部２６とが近づくと、まずスリット部３６の内側に円柱状係合受部４８が入り、ガイドされる状態になった後で係合爪部４２と円柱状係合受部４８とが係合し始める構造になっている。従って、ガイドされた状態になった後で係合による反力が発生するので、扉１８が傾いたり捻じれたりすることがなく、ヒンジ２２にも無理な力が加わることがない。ただし、上記の係合が浅いうちは係合による反力が弱いので、係合爪部４２と円柱状係合受部４８とが係合した後、係合による反力が一定以上に強くなった時点で、スリット部３６の内側に円柱状係合受部４８が入ってガイドされる構造にしてもよい。そうすれば、立設部２８ｂを小さくする（スリット部３６を短くする）ことができるので、操作部２４をさらにコンパクトにすることができる。
【００３０】
次に、この実施形態の扉ロック装置１０が、窓と扉の形状が異なるストーブ５８に扉ロック装置１０が使用された場合について、図７、図８に基づいて説明する。ストーブ５８は矩形の外形を有し、本体６０の正面６２ａに、略長方形の窓６４が設けられ、窓６４よりも一回り大きい略長方形の扉６６で閉鎖、開放する構造になっている。ストーブ５８を上方から見ると、図７に示すように、正面６２ａ側の左右両端部が略直角なデザインになっており、窓６４と扉６６が平坦である。扉６６は、側面６２ｃ側の一端が、側面６２の端部であって窓１６の周縁部６８の一辺にヒンジ７０を介して軸着され回動自在になっており、扉６６を閉じた状態で、扉６６の内側面が窓６４の周縁部６８に当接し、窓６４を気密に閉鎖することができる。
【００３１】
図３に示す操作部２４は、図８に示すように、本体部材２８の取付部２８ａを扉６６の開閉端６６ａの内側面の端部に当接して固定される。この状態で、スリット部３６の切り込み方向は、扉６６を開く際に開閉端６６ａが移動する方向となる。また、操作ハンドル３０は、扉６６を開閉する際に開閉端６６ａが回転移動する軌跡の接線と平行な面内を回動可能に配置され、取付部２８ａ及び扉６６と接触しないように側方に突出する。係合部材３２は、操作ハンドル３０の回動に従って同じ方向に回動し、その回動方向に係合爪部４２が突出するよう配置される。
【００３２】
固定部２６は、図８に示すように、本体６０の側面６２ｂに設けられた円柱状係合受部４８である。側面６２ｂは、窓６４側の端部の外側がほぼ直角に切り欠かれて係合空間７２が形成され、当該端部の内側の厚板部７４の端面が窓６４の周縁部６８の一部になっている。そして、厚板部７４の外側面に、円柱状係合受部４８がほぼ直角に立設され、その先端部分が外装板７６で目隠しされている。扉６６の内側面は、セラミックスやその他耐熱性の樹脂による気密性部材７８が設けられ、扉６６の内側面と窓６４の周縁部６８とが気密性部材７８を介して強く当接する構造になっている。
【００３３】
以上の構造により、ストーブ５８に取り付けた扉ロック装置１０も、上記のストーブ１２に取り付けた場合と同様に動作し、同様の優れた作用効果を得ることができる。
【００３４】
なお、この発明の扉ロック装置は、上記実施形態に限定されるものでない。例えば、本体部材は、窓の周縁部や扉の形態（形状や角度）に合わせ、取付部とスリット部の位置関係を適宜設定することができる。また、上記のストーブ１２，５８の場合は、係合爪部と円柱状係合受部との係合による反力が比較的弱いので、薄手の金属板で成るスリット部でも十分に吸収することができるが、例えば、業務用の大型冷蔵庫の扉などに使用される場合は上記の係合の反力が非常に強くなるので、高強度の本体部材を設ける必要がある。その場合、例えば、本体部材を金属ブロック等で形成し、その表面に所定の取付部を設けると共に、所定の位置に溝状に切り込んだスリット部を設けることが好ましい。
【００３５】
また、ストーブ１２，５８の場合、扉ロック装置の操作部を扉の開閉端に設け、固定部を窓の側縁部に設ける構造であるが、これとは反対に、操作部を窓の側縁部に設け、固定部を扉の開閉端に設ける構造にしてもよく、同様の優れた作用効果を得ることができる。
【００３６】
また、扉が軸着される位置は窓の周縁部のいずれの位置でもよく、扉の面積が広いときは、複数の扉ロック装置を併設してもよい。
【符号の説明】
【００３７】
１０  扉ロック装置
１２，５８  ストーブ
１４，６０  本体
１４ａ，６２ａ  正面
１４ｂ，１４ｃ，６２ｂ，６２ｃ  側面
１６，６４  窓
１８，６６  扉
１８ａ，６６ａ  開閉端
２０，６８  周縁部
２４  操作部
２６  固定部
２８  本体部材
２８ａ  取付部
２８ｂ  立設部
３０  操作ハンドル
３２  係合部材
３４  軸部材
３６  スリット部
３８，４０，４４  軸取付部
４２  係合爪部
４２ａ  摺接面
４２ｂ  ロック用突起
４６  ストッパ部
４８  円柱状係合受部
５６，７８  気密性部材
【図１】
2013104246.tif 000003
【図２】
2013104246.tif 000004
【図３】
2013104246.tif 000005
【図４】
2013104246.tif 000006
【図５】
2013104246.tif 000007
【図６】
2013104246.tif 000008
【図７】
2013104246.tif 000009
【図８】
2013104246.tif 000010